(57)【要約】【課題】  構造が簡単化され得るカレンダ付時計を提供すること【解決手段】  カレンダ付時計１は、カレンダ修正機構駆動用歯車部４４を一端の大径部４１に備えると共に日の裏車駆動用歯車部４５を他端に備えたつづみ車４０であり、巻真２０が一段引出位置に設定される際に一段目位置に設定されて歯車部４４がカレンダ修正機構の入力側歯車６５に噛合され、巻真２０が二段引出位置に設定される際に二段目位置に設定されて歯車部４５で日の裏車８０に噛合されるものと、入力側歯車６５を回転自在に支持し該入力側歯車６５とカレンダ修正機構の下流側歯車部とを噛合させる噛合位置と該噛合を解除する噛合解除位置との間で可動で且つ係合部６３を備えた支持案内部材６０であり、つづみ車４０の一段目位置から二段目位置への移動の際に係合部６３でつづみ車４０の大径部４１に係合されて噛合位置から噛合解除位置に移動されるものとを有する。【選択図】    図７
2005188960.tif 000002
【特許請求の範囲】
【請求項１】
回転中心軸線のまわりで回転可能な巻真であって、基準位置、該基準位置から一段階引出された一段引出位置及び前記基準位置から二段階引出された二段引出位置の間で前記回転中心軸線の延在方向に出入れ可能なものと、
該巻真と一体的に回転可能に且つ該巻真の回転中心軸線の延在方向に該巻真に対して相対移動可能に該巻真に嵌合され、カレンダ修正機構駆動用歯車部を一端の大径部に備えると共に日の裏車駆動用歯車部を他端に備えたつづみ車であって、前記巻真が前記一段引出位置に設定される際に前記一段目位置に設定されて前記カレンダ修正機構駆動用歯車部がカレンダ修正機構の入力側歯車に噛合され、前記巻真が前記二段引出位置に設定される際に前記二段目位置に設定されて前記日の裏車駆動用歯車部で日の裏車に噛合されるものと、
前記カレンダ修正機構の前記入力側歯車を回転自在に支持すると共に該入力側歯車と前記カレンダ修正機構の下流側歯車部とを噛合させる噛合位置と該噛合を解除する噛合解除位置との間で可動であり且つ係合部を備えた支持案内部材であって、前記巻真の前記一段引出位置から前記二段引出位置への引出しに伴う前記つづみ車の一段目位置から二段目位置への移動の際に前記係合部で前記つづみ車の前記一端大径部に係合されて噛合位置から噛合解除位置に移動されるものと、
を有するカレンダ付時計。
【請求項２】
支持案内部材の係合部は、前記巻真が前記一段引出位置にある際に前記つづみ車の前記一端大径部と該つづみ車の軸線方向の他端との間の環状凹部に遊嵌される係合突起部からなる請求項１に記載のカレンダ付時計。
【請求項３】
前記支持案内部材が軸部を備え、係合突起部が軸部の一端に一体的に形成され該軸部の端面の一部から該軸部の延在方向に突出した突起からなる請求項２に記載のカレンダ付時計。
【請求項４】
支持案内部材を噛合解除位置から噛合位置に偏倚させる弾性偏倚手段を有する請求項１から３までのいずれか一つの項に記載のカレンダ付時計。
【請求項５】
前記弾性偏倚手段が日車押えに一体的に形成されたバネ部からなる請求項４に記載のカレンダ付時計。
【請求項６】
前記巻真が基準位置にある際にゼンマイの巻上げが可能である請求項１から５までのいずれか一つの項に記載のカレンダ付時計。
【発明の詳細な説明】
【技術分野】
【０００１】
本発明はカレンダ付時計に係る。
【背景技術】
【０００２】
日付が表示可能なカレンダ付の腕時計自体は周知である。ぜんまいで駆動される機械式腕時計の場合、巻真が通常位置（０段目）にあるときは、巻真の一方向回転によりぜんまいが巻上げられ、巻真が一段目ないし一段引出位置にあるときは、巻真の一方向回転により日車が回転されてカレンダ修正が行われ、巻真が二段目ないし二段引出位置にあるときは、巻真の回転により時刻表示針が回転されて時刻修正が行われる。
【０００３】
この種のカレンダ付で機械式の腕時計は、典型的には、回転中心軸線のまわりで回転可能であり、且つ基準位置、該基準位置から一段階引出された一段引出位置（カレンダ修正位置）及び前記基準位置から二段階引出された二段引出位置（時刻修正位置）との間で前記回転中心軸線の延在方向に出入れ可能な巻真と、該巻真と一体的に回転可能に且つ巻真の回転中心軸線の延在方向に巻真に対して相対移動可能に巻真に嵌合されたつづみ車であって、巻真が基準位置にあるときには一端大径部の端面にある乙歯できち車に噛合されてぜんまいの巻上げを可能にし、巻真が一段引出位置にあるときには他端大径部の端面にある甲歯がカレンダ修正位置にある小鉄車等を介してカレンダ修正機構に噛合されてカレンダ修正を可能にし、巻真が二段引出位置にあるときには時刻修正位置にある小鉄車等を介して針位置修正機構に噛合されて時刻修正を可能にするものとを有する（例えば、特許文献１）。
【０００４】
しかしながら、この種のカレンダ付機械式腕時計では、小鉄車等の位置を切り換えて所望のカレンダ修正と所望の時刻修正とを選択的に行わせる必要があることから、構造が複雑になるだけでなく、構造の複雑化に関連して部品点数が増大しコスト高になり易い。
【特許文献１】特開平１１−１８３６４９号公報（例えば、図４及び図６並びに図９及び図２１と、これらに関連する明細書の説明部分）
【発明の開示】
【発明が解決しようとする課題】
【０００５】
本発明は前記した点に鑑みなされたものであって、その目的とするところは、構造が簡単化され得るカレンダ付時計を提供することにある。
【課題を解決するための手段】
【０００６】
本発明のカレンダ付時計は、前記目的を達成すべく、回転中心軸線のまわりで回転可能な巻真であって、基準位置、該基準位置から一段階引出された一段引出位置及び前記基準位置から二段階引出された二段引出位置の間で前記回転中心軸線の延在方向に出入れ可能なものと、該巻真と一体的に回転可能に且つ巻真の回転中心軸線の延在方向に巻真に対して相対移動可能に巻真に嵌合され、カレンダ修正機構駆動用歯車部を一端の大径部に備えると共に日の裏車駆動用歯車部を他端に備えたつづみ車であって、巻真が一段引出位置に設定される際に一段目位置に設定されてカレンダ修正機構駆動用歯車部がカレンダ修正機構の入力側歯車に噛合され、巻真が二段引出位置に設定される際に二段目位置に設定されて日の裏車駆動用歯車部で日の裏車に噛合されるものと、カレンダ修正機構の前記入力側歯車を回転自在に支持すると共に該入力側歯車とカレンダ修正機構の下流側歯車部とを噛合させる噛合位置と該噛合を解除する噛合解除位置との間で可動であり且つ係合部を備えた支持案内部材であって、巻真の一段引出位置から二段引出位置への引出しに伴うつづみ車の一段目位置から二段目位置への移動の際に前記係合部でつづみ車の前記一端大径部に係合されて噛合位置から噛合解除位置に移動されるものとを有する。
【０００７】
本発明のカレンダ付時計では、「該巻真と一体的に回転可能に且つ巻真の回転中心軸線の延在方向に巻真に対して相対移動可能に巻真に嵌合され、カレンダ修正機構駆動用歯車部を一端の大径部に備えると共に日の裏車駆動用歯車部を他端に備えたつづみ車であって、巻真が一段引出位置に設定される際に一段目位置に設定されてカレンダ修正機構駆動用歯車部がカレンダ修正機構の入力側歯車に噛合され、巻真が二段引出位置に設定される際に二段目位置に設定されて日の裏車駆動用歯車部で日の裏車に噛合されるもの」が設けられているので、つづみ車によってカンレダ修正機構及び日の裏車を直接選択的に回転させ得るから、カレンダ修正及び時刻修正に関連する構造を簡単化することが可能になる。
【０００８】
また、本発明のカレンダ付時計では、「カレンダ修正機構の前記入力側歯車を回転自在に支持すると共に該入力側歯車とカレンダ修正機構の下流側歯車部とを噛合させる噛合位置と該噛合を解除する噛合解除位置との間で可動であり且つ係合部を備えた支持案内部材であって、巻真の一段引出位置から二段引出位置への引出しに伴うつづみ車の一段目位置から二段目位置への移動の際に前記係合部でつづみ車の前記一端大径部に係合されて噛合位置から噛合解除位置に移動されるもの」が設けられているので、つづみ車によって日の裏車を直接的に回転させる時刻修正の際には、カレンダ修正機構の下流側歯車とカレンダ修正機構の入力側歯車との噛合が解除されて、時刻修正がカレンダ修正機構により干渉を受けるのを確実に避け得る。
【０００９】
すなわち、本発明のカレンダ付時計では、巻真が一段引出位置に設定される場合には、つづみ車も一段目位置に設定され、つづみ車の一端大径部にあるカレンダ修正機構駆動用歯車部がカレンダ修正機構の入力側歯車に噛合され、巻真の一方向回転に応じてカレンダ修正機構の入力側歯車がつづみ車を介して回転されてカレンダ修正が行われる。巻真の一段引出位置では、つづみ車の他端にある日の裏車駆動用歯車部と日の裏車とは噛合されておらず、つづみ車の回転は時刻修正機構には影響を及ぼさない。一方、本発明のカレンダ付時計において、巻真が二段引出位置に設定される場合には、つづみ車も二段目位置に設定される。巻真の一段引出位置から二段引出位置への引出しに伴うつづみ車の一段目位置から二段目位置への移動の際に、係合案内部が係合部でつづみ車の一端大径部に係合されて噛合位置から噛合解除位置に移動されるので、つづみ車が二段目位置に設定されると、つづみ車や巻真の回転はカレンダ修正機構には影響を及ぼさない。また、つづみ車が二段目位置に設定されると、つづみ車の日の裏車駆動用歯車部が日の裏車に直接噛合されるので、巻真及びつづみ車の回転に応じて時刻表示針の位置が修正されて時刻修正が行われ得る。
【００１０】
以上のような本発明のカレンダ付時計では、カレンダ修正機構の入力側歯車の支持案内部材自体が、つづみ車とカレンダ修正機構との噛合及びその解除に直接係るので、当該支持案内部材以外に可動部材が実際上不要であるから、構造が簡単化され得、関連部品点数が低減され得、コストが最低限に抑えられ得る。
【００１１】
なお、巻真に関して、上記の基準位置、一段引出位置及び二段引出位置がある限り、三つの位置以外に第四や第五の位置が更にあってもよく、第四や第五の位置が三つの位置の中間にあってもよい。
【００１２】
また、本発明のカレンダ付時計において、つづみ車のカレンダ修正機構駆動用歯車部は、一端に一つだけある大径部に形成されるけれども、所望ならば、つづみ車が、その一端に軸方向に間隔をおいて複数の大径部を備えていてもよく、その場合、一端（の）大径部の末端に位置する大径部であっても該末端よりも内側に位置する大径部であってもよい。また、つづみ車のカレンダ修正機構駆動用歯車部は、典型的には、大径部の周面に形成されるけれども、場合によっては、大径部の内向きの端面の外周部に形成されてもよい。後者の場合、カレンダ修正機構の入力側歯車自体が支持案内部材の係合部としても働き得る。
【００１３】
本発明のカレンダ付時計において、支持案内部材の係合部は、つづみ車の前記一端大径部に係合され得る限りどのような位置にあってもどのような構造や形状を備えていてもよいけれども、典型的には、巻真が一段引出位置にある際につづみ車の前記一端大径部と該つづみ車の軸線方向の他端との間の環状凹部に遊嵌される係合突起部からなる。この場合、おしどりによって揺動されるかんぬきの一端が係合される環状凹部を形成すべく両端に大径部を有するつづみ車の形状が、そのまま、係合突起部との係合に有効に活用され得る。
【００１４】
本発明のカレンダ付時計では、典型的には、支持案内部材を噛合解除位置から噛合位置に偏倚させる弾性偏倚手段を有する。これにより、巻真が二段引出位置から基準位置に戻される際に支持案内部材も元の位置に戻され得る。
【００１５】
本発明のカレンダ付時計において、上記の弾性偏倚手段は、いかなる静置部材に取付けられていてもよいけれども、好ましくは、弾性偏倚手段が日車押えに一体的に形成されたバネ部からなる。この場合、部品点数を最小限に抑えたままで、所望の機能を実現し得る。
【００１６】
本発明のカレンダ付時計において、係合突起部は、どのようなものであってもよいけれども、好ましくは、支持案内部材が軸部を備え、係合突起部が軸部の一端に一体的に形成され該軸部の端面の一部から該軸部の延在方向に突出した突起からなる。突起の横断面は、例えば、円弧と該円弧の弦とにより規定される形状を有する。この場合、突起を支持案内部材の本体部をなす軸部と一体的に形成し得、部品点数も最低限に抑えられ得る。
【００１７】
本発明のカレンダ付時計は、電池などで駆動されるタイプのものであってもよいけれども、典型的には、巻真が基準位置にある際にゼンマイの巻上げが可能な機械式時計からなる。
【００１８】
なお、時計は、いかなるサイズのものであってもよいけれども、典型的には、腕時計のような小型のものからなる。
【発明を実施するための最良の形態】
【００１９】
本発明の好ましい一実施の形態を添付図面に示した好ましい一実施例に基づいて説明する。
【実施例】
【００２０】
図１から図９には、本発明による好ましい一実施例の機械式でカレンダ付の腕時計１が示されている。
【００２１】
カレンダ付機械式腕時計１は巻真２０を備え、巻真２０は、その中心軸線ＢのまわりでＢ１，Ｂ２方向に回転可能に且つ長手方向Ａに沿ってＡ１，Ａ２方向に二段階で引出し・押込み可能にケースないし胴（図示しない）をＡ方向に貫通して配置されている。以下では、図２，図５及び図８に示したように巻真２０が一段階引出された位置ないし状態Ｓｍ１を巻真２０の一段引出位置といい、巻真が位置Ｓｍ１にあるときの時計１の状態を巻真一段目Ｓ１という。また、図３，図６及び図９に示したように巻真２０が二段階引出された位置ないし状態Ｓｍ２を巻真２０の二段引出位置といい、巻真２０が位置Ｓｍ２にあるときの時計１の状態を巻真二段目Ｓ２という。なお、図１，図４及び図７に示したように巻真２０がＡ２方向に押込まれた通常位置ないし状態Ｓｍ０を巻真２０の基準位置といい、巻真２０が位置Ｓｍ０にあるときの時計１の状態を巻真０段目Ｓ０という。
【００２２】
図７〜図９からわかるように、巻真２０は、大径円柱状部２１，２２、小径円柱状部２３、中径柱状部２４及びスプライン付柱状部２５を備える。大径円柱状部２１，２２の間の小径円柱状部２３には、おしどり３１の一端３１ａが係合され、中径柱状部２４にはきち車３２が嵌着されている。柱状部２５には、巻真２０の柱状部２５の延在方向Ａに該柱状部２５に対して移動可能に且つ巻真２０のＢ１，Ｂ２方向の回転に際しては巻真２０と一体的にＢ１，Ｂ２方向に回転されるように、つづみ車４０が嵌合されている。つづみ車４０は、両端に大径部４１，４２を備える。一端の大径部４１は、端面に乙歯４３を、周面にカレンダ修正機構駆動用歯車部としての別の歯車部４４を有し、他端の大径部４２は端面に甲歯４５を有する。つづみ車４０の両端大径部４１，４２間の小径部４６には、おしどり３１の揺動に応じて揺動されるかんぬき３３の一端３３ａが係合されている。
【００２３】
従って、巻真２０がＡ１方向に引出されると、一端３１ａの概ねＡ１方向の変位に伴っておしどり３１が一方向に回動ないし揺動されると共に該おしどり３１に係合されたかんぬき３３が反対方向に回動ないし揺動されることにより、かんぬき３３の一端３３ａが概ねＡ２方向に変位され、つづみ車４０を巻真２０に対してＡ２方向に変位させる。巻真２０が基準位置Ｓｍ０にある状態Ｓ０ではつづみ車４０が基準位置Ｓｔ０を採り（図７）、巻真２０が一段引出位置Ｓｍ１にある状態Ｓ１ではつづみ車４０が一段目の位置Ｓｔ１を採り（図８）、巻真２０が二段引出位置Ｓｍ２にある状態Ｓ２ではつづみ車４０が一段目の位置Ｓｔ２を採る（図９）。
【００２４】
ケースないし胴２内において、地板４には、きち車３２の歯車部３２ａに噛合した丸穴車１１が装着され、丸穴車１１には揺動丸穴車１２の歯車部１３が噛合し、揺動丸穴車１２の歯車部１４は二番伝え車１５の歯車部１５ａに噛合し、二番伝え車１５には歯車部１６を介して香箱車（図示せず）に結合された角穴車１７が噛合している。
【００２５】
従って、きち車３２が回転されると、該きち車３２の回転は、丸穴車１１，揺動丸穴車１２及び二番伝え車１５を介して角穴車１７に伝達されて、香箱車のぜんまいが巻かれる。
【００２６】
図１〜図３に加えて図４〜図６等からわかるように、胴２の内周にほぼ沿うように配置された日車５０は、内周に係合歯５１を備える。日車５０の文字板側には、図１及び図３や図７〜図９からわかるように、日車押え５２が配置されている。日車押え５２は、板金の打抜き加工又は樹脂の一体成形等により形成された二つのバネ部５３，５４を備える。バネ部５３は、図１や図３からわかるように、バネ本体部として働くアーム部５３ａの先端に位置するほぼリング状の保持部５３ｂにおいて、支持案内部材としての案内ブシュ６０をその小径軸部６１（図７〜図９参照）で支える。従って、Ａ方向に対してほぼ直角な方向に延びたバネ部５３の先端の保持部５３ｂによって支持された案内ブシュ６０は、図１等からわかるように、バネ部５３の基端部５３ｃのまわりでＤ１，Ｄ２方向に揺動可能であり、実際上、Ａ１，Ａ２方向に弾性的に変位可能である。同様に、バネ部５４は、バネ本体部として働くアーム部５４ａの先端に位置する保持部５４ｂにおいて、支後述のカレンダ修正車６７の軸部６７ａの一端を支える。従って、バネ部５４の先端の保持部５４ｂによって一端が支持されたカレンダ修正車６７の軸部６７ａは、その他端が遊嵌された地板４の溝４ａ（図４〜図６）に沿って、バネ部５４の基端部５４ｃのまわりでＦ１，Ｆ２方向に揺動可能である。バネ部５４もＦ１，Ｆ２方向の揺動に際して日車押え５２の周囲の部分と干渉しないように、基端部５４ｃの折曲部５４ｄで内向きに折り曲げられている。
【００２７】
図７〜図９からわかるように、案内ブシュ６０は、小径軸部６１に加えて大径軸部ないしフランジ状大径部６２と該大径部６２の端面ないし表面６２ａから軸線方向に突出した係合突起部６３とを有する。係合突起部６３は、図５等からわかるように、部分円筒状周面６３ａと（平面図でみて）弦として表わされ該外周面６３ａの両縁を規定する半径方向内側の平面部６３ｂとにより規定される側面を有する。
【００２８】
図７〜図９からわかるように、案内ブシュ６０の突起部６３は、つづみ車４０の両端大径部４１，４２と小径部４６とにより規定される環状凹部４７内に突出して該凹部４７に遊嵌され、つづみ車４０が基準位置Ｓｔ０及び一段目位置Ｓｔ１にある状態Ｓ０（図７）及びＳ１（図８）では、案内ブシュ６０は、突起部５２が大径部４１，４２の内面４１ａ，４２ａから実際上離れた状態で凹部４７内に位置するような基準位置Ｓａ０及び一段目位置Ｓａ１を採る。なお、つづみ車４０が一段目位置Ｓｔ１に達した際に大径部４１の内面４１ａに周面部６３ａで丁度当接するようになっていてもよい。つづみ車４０が、その一段目位置Ｓｔ１から二段目位置Ｓｔ２に移動する際には、突起部６３が周面部６３ａでつづみ車４０の大径部４１の内面４１ａに当接し、該つづみ車４０のＡ２方向変位に応じて、バネ部５３の弾性保持力に抗してＡ２方向に押されるので、案内ブシュ６０がＡ２方向に変位される。従って、つづみ車４０が二段目位置Ｓｔ２に達する状態Ｓ２では、案内ブシュ６０もその二段目位置Ｓａ２に移動される。
【００２９】
案内ブシュ６０の小径軸部６１には、カレンダ修正機構の入力側歯車としての第一カレンダ修正伝え車６５が回転自在に支持されている。この第一カレンダ修正伝え車６５は、内面に歯車部６５ａを備える。第一カレンダ修正伝え車６５の歯車部６５ａは、つづみ車４０が基準位置Ｓｔ０にある状態Ｓ０（図７）では、つづみ車４０の歯車部４４から離れており、つづみ車４０が一段目位置Ｓｔ１に達した状態Ｓ１（図８）では、つづみ車４０の歯車部４４に噛合する。つづみ車４０が一段目位置Ｓｔ１と二段目位置Ｓｔ２との間に位置する場合、第一カレンダ修正伝え車６５の歯車部６５ａはつづみ車４０の歯車部４４に対して噛合状態に保たれる。但し、例えば、つづみ車４０が一段目位置Ｓｔ１から所定長だけＡ２方向に移動して初めてつづみ車４０の大径部４１が案内ブシュ６０の係合突起部６３に当接すると共に該所定長のＡ２方向移動の間につづみ車４０の歯車部４４と第一カレンダ修正伝え車６５の歯車部６５ａとの噛合が解除されるようにしておくことにより、つづみ車４０が一段目位置Ｓｔ１と二段目位置Ｓｔ２との間に位置する状態及び二段目位置に達した状態Ｓ２では、第一カレンダ修正伝え車６５とつづみ車４０の歯車部４４との噛合が解除されるようになっていてもよい。
【００３０】
時計１は、日修正に関して、更に、第二カレンダ修正伝え車６６とカレンダ修正車６７とを有する。従って、この例では、カレンダ修正機構は、第一及び第二カレンダ修正伝え車６５，６６とカレンダ修正車６７とからなる。第二カレンダ修正伝え車６６は、案内ブシュ６０がその基準位置Ｓａ０にある状態（巻真０段目）Ｓ０及び一段目位置Ｓａ１にある状態（巻真一段目）Ｓ１では、第一カレンダ修正伝え車６５の歯車部６５ｂと噛合状態に保たれるけれども、案内ブシュ６０がその二段目位置Ｓａ２にある状態Ｓ２（巻真二段目）では第一カレンダ修正伝え車６５がＡ２方向に移動されるので、第一カレンダ修正伝え車６５との噛合が解除される。なお、案内ブシュ６０がその二段目位置Ｓａ２にある状態（巻真二段目）Ｓ２では、第二カレンダ修正伝え車６６と実質的に常時噛合状態に保たれる。但し、カレンダ修正車６７は、バネ部５４によって該バネ部５４の基端部５４ｃのまわりでＦ１，Ｆ２方向に（溝４ａに沿うように）揺動可能に支持されているので、案内ブシュ６０がその一段目位置Ｓａ１にあってＥ１方向の回転トルクが第二カレンダ修正伝え車６６から伝達される状態（巻真一段目）Ｓ１に限り、バネ部５４のバネ力に抗してＦ１方向に揺動されて日車５０の係合歯５１に係合され、日車５０をＪ１方向に回転させる。
【００３１】
なお、日車５０の係合歯５１には、更に、日回し車５５の日回し爪５６が係合可能である。
【００３２】
日の裏車８０は、例えば図９からわかるように、時車として働く筒車７１の筒歯車部７２にかな部８１で噛合され及び分車として働く二番車７３の二番かな７４に歯車部８２で噛合されている。日の裏車８０の歯車部８２には、つづみ車４０がその二段目位置Ｓｔ２に達した状態Ｓ２において、甲歯４５が噛合する。つづみ車４０が位置Ｓｔ０やＳｔ１にある状態（巻真０段目や巻真一段目）Ｓ０やＳ１では、甲歯４５と日の裏車８０の歯車部８２との噛合は解除されている。
【００３３】
次に、以上の如く構成された時計１において、巻真２０を操作する場合の動作について、説明する。
【００３４】
巻真２０が、Ａ２方向に奥まで押し込まれた基準位置Ｓｍ０にある時計１の通常使用状態ないし基準状態（巻真０段目）Ｓ０では、図１や図４や図７に示したように、つづみ車４０も基準位置Ｓｔ０にあり、つづみ車４０の乙歯４３がきち車３２に噛合している。従って、巻真２０をＢ１方向に回転させる際に、巻真２０の回転がつづみ車４０及びきち車３２を介して、丸穴車１１に伝達され、更に、揺動丸穴車１２、二番伝え車１５及び角穴車１７を介して、ぜんまいが巻上げられる。
【００３５】
なお、この基準状態Ｓ０では、つづみ車４０と、第一カレンダ修正伝え車６５や日の裏車８０との係合（噛合）は解除されているので、つづみ車４０の回転は、日修正や時刻修正には影響を及ぼさない。
【００３６】
一方、巻真２０がＡ１方向に引出されて一段引出位置Ｓｍ１に位置決めされると、つづみ車４０もおしどり３１やかんぬき３３によってＡ２方向に変位され一段目位置Ｓｔ１に位置決めされ、時計１が状態Ｓ１（巻真一段目）に設定される。この状態Ｓ１では、図２や図５や図８に示したように、巻真２０の長手方向Ａに沿って奥向きＡ２に変位されたつづみ車４０が大径部４１の外周歯車部４４で第一カレンダ修正伝え車６５に噛合する。従って、巻真２０をＢ２方向に回転させる際に、巻真２０のＢ２方向の回転がつづみ車４０から第一カレンダ修正伝え車６５にＧ１方向回転として伝達され、更に、該第一カレンダ修正伝え車６５に噛合した第二カレンダ修正伝え車６６のＨ１方向回転に従ってカレンダ修正車６７が噛合部においてＥ１方向のトルクを受け、カレンダ修正車６７の軸６７ａがバネ５４のバネ力に抗して溝４ａに沿ってＦ１方向に揺動されて、カレンダ修正車６７の係合歯ないし係合爪６７ｂが日車５０の係合歯５１に係合する。その結果、カレンダ修正車６７のＥ１方向回転に伴って日車５０がＪ１方向に回転され、日修正が行われ得る。なお、日以外のカレンダ修正が同様に行われるようにしておいてもよい。
【００３７】
ここでは、つづみ車４０が一段目位置Ｓｔ１に達した際に、単に、つづみ車４０の歯部４４が第一カレンダ修正伝え車６５に噛合するとして説明したけれども、第一カレンダ修正伝え車６５と第二カレンダ修正伝え車６６との噛合が保たれ得る限り、つづみ車４０が一段目位置Ｓｔ１に達する前につづみ車４０の大径部４１が案内ブシュ６０に当接しつづみ車４０が一段目位置Ｓｔ１に位置決めされる際には、該案内ブシュ６０を若干Ａ２方向に変位させるようになっていてもよい。
【００３８】
なお、巻真一段目状態Ｓ１では、つづみ車４０のＡ２方向変位に伴いつづみ車４０の乙歯４３ときち車３２との噛合は解除されており、また、つづみ車４０と日の裏車８０との噛合も生じていない。従って、つづみ車４０の回転は、ぜんまいの巻上げや時刻修正には影響を及ぼさない。
【００３９】
巻真２０がＡ１方向に更に引出されて二段引出位置Ｓｍ２に位置決めされると、つづみ車４０もおしどり３１やかんぬき３３によってＡ２方向に更に変位され二段目位置Ｓｔ２に位置決めされ、時計１が状態Ｓ２（巻真二段目）に設定される。この状態Ｓ２では、図３や図６や図９に示したように、巻真２０の長手方向Ａに沿って奥向きＡ２に変位されたつづみ車４０がその大径部４２の端面にある甲歯４５で日の裏車８０の歯車部８２に直接噛合する。従って、巻真２０のＢ１又はＢ２方向の回転に応じて、日の裏車８０が対応する向きに回転され、該日の裏車８０の回転に応じて、分車７３及び筒車７１が対応する方向に回転され、分針及び時針の位置が調整される。
【００４０】
なお、つづみ車４０が一段目位置Ｓｔ１から二段目位置Ｓｔ２に向かってＡ２方向に移動される際、つづみ車４０の大径部４１が案内ブシュ６０に当接して該案内ブシュ６０をバネ５３のバネ力に抗してＡ２方向に押し、一段目位置Ｓａ１から二段目位置Ｓａ２にＤ１方向に揺動変位させるので、案内ブシュ６０に支えられた第一カレンダ修正伝え車６５もＤ１方向に変位されて第一カレンダ修正伝え車６５と第二カレンダ修正伝え車６６との噛合が解除される。なお、つづみ車４０ときち車３２との噛合は解除されたままである。従って、つづみ車４０の回転は、日修正やぜんまいの巻上げには影響を及ぼさない。
【００４１】
以上において、状態Ｓ０，Ｓ１，Ｓ２の夫々は、巻真２０の位置Ｓｍ０，Ｓｍ１，Ｓｍ２に依存し、且つ巻真２０が位置Ｓｍ１にＡ１方向に達したかＡ２方向に達したかには依存しないから、状態Ｓ０，Ｓ１，Ｓ２に関する以上の説明は、巻真２０をＡ２方向に押込んだ場合にも同様に当てはまる。
【００４２】
なお、日回し車５５による日車５０の回転を実際上妨げない限り、カレンダ修正車６７の軸が一定位置にあって係合歯６７ｂが日車５０の係合歯５１に係合可能な状態に保たれていてもよい。
【００４３】
以上においては、時計１が手巻式のぜんまいにより駆動される機械式時計であるとして説明したけれども、回転錘の揺動ないし往復回動でぜんまいが巻上げられる自動巻き式の機械式時計や電池等で駆動される電子時計においても、巻真の一段引出位置Ｓｍ１及び二段引出位置Ｓｍ２は同様に規定され得るから、状態Ｓ１，Ｓ２に関する説明は、そのまま当てはまる。
【図面の簡単な説明】
【００４４】
【図１】本発明による好ましい一実施例の時計が巻真０段目にある状態の平面説明図。
【図２】本発明による好ましい一実施例の時計が巻真一段目にある状態について図１と同様な平面説明図。
【図３】本発明による好ましい一実施例の時計が巻真二段目にある状態について図１と同様な平面説明図。
【図４】本発明による好ましい一実施例の時計が巻真０段目にある状態についての時計の一部拡大平面説明図。
【図５】本発明による好ましい一実施例の時計が巻真一段目にある状態についての図４と同様な時計の一部拡大平面説明図。
【図６】本発明による好ましい一実施例の時計が巻真二段目にある状態についての図４と同様な時計の一部拡大平面説明図。
【図７】本発明による好ましい一実施例の時計が巻真０段目にある状態についての時計の一部の拡大断面説明図。
【図８】本発明による好ましい一実施例の時計が巻真一段目にある状態についての図７と同様な時計の一部の拡大断面説明図。
【図９】本発明による好ましい一実施例の時計が巻真二段目にある状態についての図７と同様な時計の一部の拡大断面説明図。
【符号の説明】
【００４５】
１  時計
３  地板
４  輪列受
１１  丸穴車
１２  揺動丸穴車
１５  二番伝え車
１７  角穴車
２０  巻真
３１  おしどり
３２  きち車
３３  かんぬき
４０  つづみ車
４１，４２  大径部
４３  乙歯
４４  外周歯車部
４５  甲歯
４６  小径部
４７  凹部
５０  日車
５１  係合歯
５２  日車押え
５３，５４  バネ部
６０  案内ブシュ
６３  突起部
６５  第一カレンダ修正伝え車（カレンダ機構の入力側歯車）
６６  第二カレンダ修正伝え車
６７  カレンダ修正車
７１  筒車
７３  二番車（分車）
８０  日の裏車
８２  歯車部
Ａ  巻真の延在方向
Ａ１，Ａ２  巻真の移動方向
Ｂ  巻真の回転中心軸線
Ｂ１，Ｂ２  巻真の回転方向
Ｄ１，Ｄ２  バネ部の先端部及び案内ブシュの揺動方向
Ｆ１，Ｆ２  カレンダ修正車の軸の揺動方向
Ｓ０，Ｓ１，Ｓ２  時計の状態
Ｓａ０，Ｓａ１，Ｓａ２  案内ブシュ位置（状態）
Ｓｍ０，Ｓｍ１，Ｓｍ２  巻真の位置（状態）
Ｓｔ０，Ｓｔ１，Ｓｔ２  つづみ車の位置（状態）
【図１】
2005188960.tif 000003
【図２】
2005188960.tif 000004
【図３】
2005188960.tif 000005
【図４】
2005188960.tif 000006
【図５】
2005188960.tif 000007
【図６】
2005188960.tif 000008
【図７】
2005188960.tif 000009
【図８】
2005188960.tif 000010
【図９】
2005188960.tif 000011